(57)【要約】  本開示のいくつかの態様は、ネットワーク内で報告されるUE能力情報を制限するための方法および装置に関する。たとえば、第1の基地局によるワイヤレス通信の方法は、異なる方向に初期アクセス信号の第1のセットを送信するステップと、初期アクセス信号の第1のセットに応答してユーザ機器(UE)から1つまたは複数の信号の第2のセットを受信するステップと、信号の第2のセットの受信に基づいて、基準信号の第3のセットの対応する方向の表示を伴う基準信号の第3のセットの送信を開始するステップまたは基準信号の第3のセットの構成を伝達するステップとを含み得る。
2020507997.tif 000002
【特許請求の範囲】
【請求項１】
第1の基地局によるワイヤレス通信の方法であって、
異なる方向に初期アクセス信号の第1のセットを送信するステップと、
初期アクセス信号の前記第1のセットに応答して、1つまたは複数の信号の第2のセットをユーザ機器(UE)から受信するステップと、
1つまたは複数の信号の前記第2のセットの受信に基づいて、基準信号の第3のセットの対応する方向の表示を伴う基準信号の前記第3のセットの送信を開始するまたは前記第3のセットの構成を伝達するステップとを含む、方法。
【請求項２】
前記構成が、帯域幅、周期性パターン、時間同期基準、周波数リソースローケーション、基準信号(RS)タイミング、構成可能ヌメロロジー、または無線リソース管理(RRM)測定に対するチャネル状態情報基準信号(CSI-RS)と同期信号(SS)ブロックとの間の関連を含む1つまたは複数のパラメータを含む、請求項1に記載の方法。
【請求項３】
基準信号の前記第3のセットが、チャネル状態情報基準信号(CSI-RS)またはモビリティ基準信号(MRS)のうちの1つを含む、請求項1に記載の方法。
【請求項４】
初期アクセス信号の前記第1のセットが、1次同期信号(PSS)、2次同期信号(SSS)、物理ブロードキャストチャネル(PBCH)信号、またはPBCH信号の復調基準信号(DMRS)のうちの少なくとも1つを含む、請求項1に記載の方法。
【請求項５】
前記第1の基地局が、基準信号の前記第3のセットと初期アクセス信号の前記第1のセットとの疑似コロケーション(QCL)関係を伝達することによって、基準信号の前記第3のセットの前記対応する方向を示す、請求項1に記載の方法。
【請求項６】
基準信号の前記第3のセットの送信を開始するステップが、第2の基地局による1つまたは複数の信号の前記第2のセットの受信に基づいて、基準信号の前記第3のセットの前記対応する方向への基準信号の前記第3のセットの前記送信を開始することを前記第2の基地局に要求するステップを含む、請求項1に記載の方法。
【請求項７】
前記第1の基地局が、第2の基地局とともに協調して、1つまたは複数の信号の前記第2のセットの前記受信に基づいて基準信号の前記第3のセットの協調送信を開始する、請求項1に記載の方法。
【請求項８】
前記第1の基地局が、ランダムアクセスチャネル(RACH)、スケジューリング要求(SR)チャネル、ビーム復元要求チャネル、物理アップリンク制御チャネル(PUCCH)、または物理アップリンク共有チャネル(PUSCH)のうちの1つまたは複数の組合せを介して1つまたは複数の信号の前記第2のセットを受信する、請求項1に記載の方法。
【請求項９】
前記UEから基準信号の前記第3のセットの受信された品質の表示を受信するステップと、
前記UEが近隣セルにハンドオーバされるべきかどうかを決定するために前記受信された品質を使用するステップとをさらに含む、請求項1に記載の方法。
【請求項１０】
ユーザ機器(UE)によるワイヤレス通信の方法であって、
第1の基地局から送信された初期アクセス信号の第1のセットを受信するステップと、
初期アクセス信号の前記第1のセットに応答して、1つまたは複数の信号の第2のセットを送信するステップと、
1つまたは複数の信号の前記第2のセットに基づいて、前記第1の基地局または第2の基地局のうちの少なくとも1つによって送信された、基準信号の第3のセットまたは基準信号の前記第3のセットの構成のうちの少なくとも1つを受信するステップとを含む、方法。
【請求項１１】
基準信号の前記第3のセットの受信された品質の表示を前記第1の基地局に送信するステップをさらに含む、請求項10に記載の方法。
【請求項１２】
前記UEが、1つまたは複数のダウンリンクチャネルを使用して基準信号の前記第3のセットの前記構成を受信し、
前記1つまたは複数のダウンリンクチャネルが、物理ダウンリンク(DL)共有チャネル(PDSCH)、物理DL制御チャネル(PDCCH)、無線リソース制御(RRC)シグナリング、媒体アクセス制御(MAC)制御要素(MAC CE)、またはハンドオーバメッセージのうちの1つまたは複数を含む、請求項10に記載の方法。
【請求項１３】
前記構成が、帯域幅、周期性パターン、時間同期基準、周波数リソースローケーション、基準信号(RS)タイミング、構成可能ヌメロロジー、または無線リソース管理(RRM)測定に対するチャネル状態情報基準信号(CSI-RS)と同期信号(SS)ブロックとの間の関連を含む1つまたは複数のパラメータを含む、請求項10に記載の方法。
【請求項１４】
1つまたは複数の信号の前記第2のセットに基づいて、前記第2の基地局によって送信された、基準信号の前記第3のセットの構成を、前記第1の基地局から受信するステップをさらに含む、請求項10に記載の方法。
【請求項１５】
前記UEが前記第1の基地局から受信した前記構成に従って、前記UEが基準信号の前記第3のセットを前記第2の基地局から受信する、請求項14に記載の方法。
【請求項１６】
前記UEが、基準信号の前記第3のセットの対応する方向の表示を前記第2の基地局から受信する、請求項10に記載の方法。
【請求項１７】
前記第1の基地局が、基準信号の前記第3のセットと初期アクセス信号の前記第1のセットとの疑似コロケーション(QCL)関係を伝達することによって、基準信号の前記第3のセットの前記対応する方向を示す、請求項10に記載の方法。
【請求項１８】
前記UEが、物理アップリンク制御チャネル(PUCCH)、物理アップリンク共有チャネル(PUSCH)、スケジューリング要求、およびランダムアクセスチャネル(RACH)のうちの1つまたは複数の組合せにおいて、基準信号の前記第3のセットの受信された品質の前記表示を送信する、請求項11に記載の方法。
【請求項１９】
基準信号の前記第3のセットが、チャネル状態情報基準信号(CSI-RS)またはモビリティ基準信号(MRS)のうちの1つを含む、請求項10に記載の方法。
【請求項２０】
初期アクセス信号の前記第1のセットが、1次同期信号(PSS)、2次同期信号(SSS)、物理ブロードキャストチャネル(PBCH)信号、またはPBCH信号の復調基準信号(DMRS)のうちの少なくとも1つを含む、請求項10に記載の方法。
【請求項２１】
基準信号の前記第3のセットが、前記第1の基地局において1つまたは複数の信号の前記第2のセットの受信に基づいて、前記第1の基地局から送信される、請求項10に記載の方法。
【請求項２２】
前記第1の基地局が、前記第2の基地局とともに協調して、1つまたは複数の信号の前記第2のセットの受信に基づいて基準信号の前記第3のセットの協調送信を開始する、請求項10に記載の方法。
【請求項２３】
測定された信号品質が、測定されたチャネル品質インジケータ(CQI)、信号対雑音比(SNR)、信号対干渉雑音比(SINR)、基準信号受信電力(RSRP)、受信信号強度表示(RSSI)、基準信号受信品質(RSRQ)、ビーム品質情報(BQI)、ビームインデックス報告、チャネル状態情報(CSI)、または干渉測定値のうちの少なくとも1つを含む、請求項21に記載の方法。
【請求項２４】
前記UEが、2次同期信号(SSS)、または物理ブロードキャストチャネル(PBCH)信号に対する復調基準信号(DMRS)のうちの少なくとも1つの品質の表示を測定して提供する、請求項21に記載の方法。
【請求項２５】
前記UEが、ランダムアクセスチャネル(RACH)、スケジューリング要求(SR)チャネル、ビーム復元要求チャネル、物理アップリンク制御チャネル(PUCCH)、または物理アップリンク共有チャネル(PUSCH)のうちの1つまたは複数の組合せを介して1つまたは複数の信号の前記第2のセットを送信する、請求項10に記載の方法。
【請求項２６】
サービング基地局によるワイヤレス通信の方法であって、
1つまたは複数の信号の第2のセットをユーザ機器(UE)から受信するステップと、
基準信号の第3のセットの対応する方向の表示を伴う近隣基地局の基準信号の前記第3のセットの構成を識別するステップと、
1つまたは複数の信号の前記第2のセットを前記UEから受信することに基づいて、基準信号の前記第3のセットの前記構成を前記UEに送信するステップとを含む、方法。
【請求項２７】
前記構成が、帯域幅、周期性パターン、時間同期基準、周波数リソースローケーション、基準信号(RS)タイミング、構成可能ヌメロロジー、または無線リソース管理(RRM)測定に対するチャネル状態情報基準信号(CSI-RS)とSSブロックとの間の関連を含む1つまたは複数のパラメータを含む、請求項26に記載の方法。
【請求項２８】
前記サービング基地局が、1つまたは複数の信号の前記第2のセットを前記近隣基地局に伝達し、1つまたは複数の信号の前記第2のセットを伝達したことに応答して基準信号の前記第3のセットの前記構成を前記近隣基地局から受信する、請求項26に記載の方法。
【請求項２９】
前記UEが、基準信号の前記第3のセットの前記対応する方向の表示を前記サービング基地局から受信する、請求項26に記載の方法。
【請求項３０】
前記サービング基地局が、基準信号の前記第3のセットと初期アクセス信号の第1のセットとの疑似コロケーション(QCL)関係を伝達することによって、基準信号の前記第3のセットの前記対応する方向を示す、請求項26に記載の方法。
【発明の詳細な説明】
【技術分野】
【０００１】
関連出願の相互参照
本出願は、本出願の譲受人に譲渡され、参照により本明細書に明確に組み込まれる、2017年2月13日に出願された米国仮特許出願第62/458,359号および2017年8月18日に出願された米国仮特許出願第62/547,697号の利益を主張する、2018年2月12日に出願された米国出願第15/894,333号の優先権を主張する。
【０００２】
本開示は、一般に、通信システムに関し、より詳細には、初期アクセス信号の信号品質に基づいてモビリティ基準信号の送信を開始するための方法および装置に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、eNBなど)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が望まれる。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
いくつかの態様は、基地局によるワイヤレス通信のための方法を提供する。方法は、一般に、使用する異なる方向に初期アクセス信号の第1のセットを送信するステップと、初期アクセス信号の第1のセットに応答してユーザ機器(UE)から1つまたは複数の信号の第2のセットを受信するステップと、信号の第2のセットの受信に基づいて、基準信号の第3のセットの対応する方向の表示を伴う基準信号の第3のセットの送信を開始するステップまたは基準信号の第3のセットの構成を伝達するステップとを含む。
【０００９】
いくつかの態様は、ユーザ機器(UE)によるワイヤレス通信の方法を提供する。方法は、一般に、第1の基地局から送信された初期アクセス信号の第1のセットを受信するステップと、初期アクセス信号の第1のセットに応答して1つまたは複数の信号の第2のセットを送信するステップと、信号の第2のセットに基づいて第1の基地局または第2の基地局のうちの少なくとも1つによって送信された、基準信号の第3のセットまたは基準信号の第3のセットの構成のうちの少なくとも1つを受信するステップとを含む。
【００１０】
態様は、一般に、添付の図面を参照しながら本明細書で十分に説明され、添付の図面によって示される、方法、装置、システム、コンピュータ可読媒体、および処理システムを含む。
【００１１】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１２】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１３】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、DL中心のサブフレームの一例を示す図である。
【図７】本開示のいくつかの態様による、UL中心のサブフレームの一例を示す図である。
【図８】本開示の態様による例示的な初期アクセスフレームワークを示す図である。
【図９】本開示の態様による例示的な初期アクセスフレームワークを示す図である。
【図１０】本開示の態様による、基地局によるワイヤレス通信のための例示的な動作を示す図である。
【図１１】本開示の態様による例示的な初期アクセス信号送信を示す図である。
【図１２】本開示の態様による例示的な初期アクセス信号送信を示す図である。
【図１３】本開示の態様による、基準信号の対応する方向を伴う基準信号の、例示的送信を示す図である。
【図１４】本開示の態様による、ユーザ機器によるワイヤレス通信のための例示的な動作を示す図である。
【図１５】本開示の態様による、サービング基地局によるワイヤレス通信のための例示的な動作を示す図である。
【発明を実施するための形態】
【００１４】
理解を容易にするために、可能な場合、図に共通する同一の要素を示すために、同一の参照番号が使用されている。特定の具陳なしに、一態様において説明する要素が他の態様において有利に利用され得ることが企図される。
【００１５】
本開示の態様は、ニューラジオ(NR)(ニューラジオアクセス技術または5G技術)のための装置、方法、処理システム、およびコンピュータ可読媒体を提供する。
【００１６】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、27GHzまたはそれを越える)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００１７】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で説明する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００１８】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００１９】
例示的なワイヤレス通信システム
図1は、本開示の態様が実行され得る、ニューラジオ(NR)または5Gネットワークなどの、例示的なワイヤレスネットワーク100を示す。
【００２０】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、またはTRPなどの用語は交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２１】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２２】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２３】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２４】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００２５】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００２６】
ネットワークコントローラ130は、BSのセットに結合され、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００２７】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。一部のUEは、発展型デバイスもしくはマシンタイプ通信(MTC)デバイスまたは発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。一部のUEは、モノのインターネット(IoT)デバイスと見なされ得る。図1において、両矢印を有する実線は、UEとサービングBSとの間の可能な送信を示し、サービングBSは、ダウンリンクおよび/またはアップリンク上でUEにサービスするように指定されたBSである。両矢印を有する破線は、UEとBSとの間の干渉する送信を示す。
【００２８】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００２９】
本明細書で説明する例の態様はLTE技術に関連付けられ得るが、本開示の態様は、NRなど、他のワイヤレス通信システムに適用可能であり得る。NRは、アップリンクおよびダウンリンク上でCPを用いてOFDMを利用し、時分割複信(TDD)を使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する、2つの半フレームで構成されてもよく、各々の半フレームは5つのサブフレームで構成される。結果として、各サブフレームは1msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３０】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３１】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３２】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３３】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、または何らかの他の用語で呼ばれることもある)を含み得る。上記で説明したように、TRPは「セル」と交換可能に使用され得る。
【００３４】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００３５】
ローカルアーキテクチャ200は、フロントホール定義を示すために使用され得る。異なる展開タイプにわたるフロントホール(fronthauling)解決策をサポートするアーキテクチャが定義され得る。たとえば、アーキテクチャは、送信ネットワーク能力(たとえば、帯域幅、レイテンシ、および/またはジッタ)に基づき得る。
【００３６】
アーキテクチャは、特徴および/または構成要素をLTEと共有し得る。態様によれば、次世代AN(NG-AN)210は、NRとの二重接続性をサポートし得る。NG-ANは、LTEおよびNRに対して共通フロントホールを共有し得る。
【００３７】
アーキテクチャは、TRP208間の協働を可能にし得る。たとえば、協働は、TRP内にプリセットされてよく、かつ/またはANC202を経由してTRPにわたってプリセットされてよい。態様によれば、TRP間インターフェースが必要とされない/存在しない場合がある。
【００３８】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、集約ユニット(CU)(たとえば、ANC202)および/または1つもしくは複数の分散ユニット(たとえば、1つもしくは複数のTRP208)を含んでよい。
【００３９】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４０】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジのより近くにあってよい。
【００４１】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４２】
図4は、本開示の態様を実施するために使用され得る、図1に示すBS110およびUE120の例示的な構成要素を示す。上記で説明したように、BSはTRPを含み得る。BS110およびUE120の1つまたは複数の構成要素は、本開示の態様を実践するために使用され得る。たとえば、UE120のアンテナ452、Tx/Rx222、プロセッサ466、458、464、および/もしくはコントローラ/プロセッサ480、ならびに/またはBS110のアンテナ434、プロセッサ430、420、438、および/もしくはコントローラ/プロセッサ440は、本明細書で説明し、図9を参照しながら示す動作を実行するために使用され得る。
【００４３】
図4は、図1におけるBSのうちの1つおよびUEのうちの1つであってよい、BS110およびUE120の設計のブロック図を示す。制限された接続シナリオの場合、基地局110は図1のマクロBS110cであってよく、UE120はUE120yであってよい。基地局110はまた、何らかの他のタイプの基地局であり得る。基地局110は、アンテナ434a〜434tを備えることができ、UE120は、アンテナ452a〜452rを備えることができる。
【００４４】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。たとえば、TX MIMOプロセッサ430は、RS多重化のために本明細書で説明するいくつかの態様を実行し得る。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００４５】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。たとえば、MIMO検出器456は、本明細書で説明する技法を使用して送信された検出済みRSを提供し得る。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。1つまたは複数の事例によれば、CoMP態様は、アンテナならびにいくつかのTx/Rx機能を、CoMP態様が分散されたユニット内に存在するように提供することを含むことができる。たとえば、いくつかのTx/Rx処理は中央ユニット内で行われ得る一方で、他の処理は分散されたユニットにおいて行われ得る。たとえば、図に示す1つまたは複数の態様によれば、BS変調器/復調器432は、分散されたユニット内にあってもよい。
【００４６】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００４７】
コントローラ/プロセッサ440および480は、それぞれ基地局110およびUE120における動作を指示し得る。基地局110におけるプロセッサ440ならびに/または他のプロセッサおよびモジュールは、たとえば、図8および図9に示す機能的ブロックの実施および/または本明細書で説明する技法に対する他のプロセスを実行または指示し得る。UE120におけるプロセッサ480ならびに/または他のプロセッサおよびモジュールも、本明細書で説明する技法に対するプロセスを実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００４８】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００４９】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５０】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５１】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５２】
図6は、DL中心のサブフレームの一例を示す図600である。DL中心のサブフレームは、制御部分602を含み得る。制御部分602は、DL中心のサブフレームの最初の部分または開始部分に存在し得る。制御部分602は、DL中心のサブフレームの様々な部分に対応する様々なスケジューリング情報および/または制御情報を含み得る。いくつかの構成では、制御部分602は、図6に示すように、物理DL制御チャネル(PDCCH)であってよい。DL中心のサブフレームは、DLデータ部分604も含み得る。DLデータ部分604は時々、DL中心のサブフレームのペイロードと呼ばれ得る。DLデータ部分604は、スケジューリングエンティティ(たとえば、UEまたはBS)から従属エンティティ(たとえば、UE)にDLデータを通信するために利用される通信リソースを含み得る。いくつかの構成では、DLデータ部分604は、物理DL共有チャネル(PDSCH)であってよい。
【００５３】
DL中心のサブフレームは、共通UL部分606も含み得る。共通UL部分606は時々、ULバースト、共通ULバースト、および/または様々な他の適切な用語で呼ばれ得る。共通UL部分606は、DL中心のサブフレームの様々な他の部分に対応するフィードバック情報を含み得る。たとえば、共通UL部分606は、制御部分602に対応するフィードバック情報を含み得る。フィードバック情報の非限定的な例は、ACK信号、NACK信号、HARQインジケータ、および/または様々な他の適切なタイプの情報を含み得る。共通UL部分606は、ランダムアクセスチャネル(RACH)手順、スケジューリング要求(SR)に関する情報、および様々な他の適切なタイプの情報などの、追加のまたは代替の情報を含み得る。図6に示すように、DLデータ部分604の終わりは、共通UL部分606の始まりから時間的に分離され得る。この時間の分離は時々、ギャップ、ガード期間、ガードインターバル、および/または様々な他の適切な用語で呼ばれ得る。この分離は、DL通信(たとえば、従属エンティティ(たとえば、UE)による受信動作)からUL通信(たとえば、従属エンティティ(たとえば、UE)による送信)への切替えのための時間を与える。上記はDL中心のサブフレームの一例にすぎず、同様の特徴を有する代替構造が、必ずしも本明細書で説明する態様から逸脱することなく存在し得ることを、当業者は理解されよう。
【００５４】
図7は、UL中心のサブフレームの一例を示す図700である。UL中心のサブフレームは、制御部分702を含み得る。制御部分702は、UL中心のサブフレームの最初の部分または開始部分に存在し得る。図7における制御部分702は、図6を参照しながら上記で説明した制御部分と同様であってよい。UL中心のサブフレームは、ULデータ部分704も含み得る。ULデータ部分704は時々、UL中心のサブフレームのペイロードと呼ばれ得る。ULデータ部分は、従属エンティティ(たとえば、UE)からスケジューリングエンティティ(たとえば、UEまたはBS)にULデータを通信するために利用される通信リソースを指すことがある。いくつかの構成では、制御部分702は、物理DL制御チャネル(PDCCH)であってよい。
【００５５】
図7に示すように、制御部分702の終わりは、ULデータ部分704の始まりから時間的に分離され得る。この時間の分離は時々、ギャップ、ガード期間、ガードインターバル、および/または様々な他の適切な用語で呼ばれ得る。この分離は、DL通信(たとえば、スケジューリングエンティティによる受信動作)からUL通信(たとえば、スケジューリングエンティティによる送信)への切替えのための時間を与える。UL中心のサブフレームは、共通UL部分706も含み得る。図7における共通UL部分706は、図6を参照しながら上記で説明した共通UL部分606と同様であってよい。共通UL部分706は、追加または代替として、チャネル品質インジケータ(CQI)、サウンディング基準信号(SRS)に関する情報、および様々な他の適切なタイプの情報を含み得る。上記はUL中心のサブフレームの一例にすぎず、同様の特徴を有する代替構造が、必ずしも本明細書で説明する態様から逸脱することなく存在し得ることを、当業者は理解されよう。
【００５６】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は免許不要スペクトルを使用するワイヤレスローカルエリアネットワークとは異なり)免許必要スペクトルを使用して通信されてよい。
【００５７】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００５８】
モビリティに対する例示的な基準信号
様々な信号は、(たとえば、UEが現在のセルから異なるセルにハンドオーバされるべきかどうかを)モビリティ決定(mobility decision)で支援することなど、様々な理由でワイヤレスネットワーク内で送信される場合がある。そのような信号の例には、IDLEモード内のL3モビリティに対する無線リソース管理(RRM)測定のために使用される「常時オン」信号、ニューラジオ(NR)同期信号、またはNR同期信号およびPBCH信号に対する追加のDM-RS(DM-RSがPBCHに対してサポートされる場合)が含まれる。L3モビリティに対するCONNECTEDモードRRM測定に対して、CSI-RSまたはCSI-RSとは別の他のRSなど、様々な他の信号が使用され得る。様々な品質メトリックが、受信信号受信電力(RSRP:received signal received power)または基準信号受信品質(RSRQ:reference signal received quality)など、そのような信号に対して測定され得る。
【００５９】
モビリティのための追加のRSは、複数のビーム上で定義されて送信され得る。そのようなRSは、モビリティ基準信号と呼ばれることがある。そのようなRSは、疑似コロケーション(QCL)パラメータの精細な時間/周波数追跡および推定のために使用され得る。いくつかの場合には、特定のRSは、特定のシナリオにおいてのみ送信され得る。
【００６０】
初期アクセス信号の品質に基づくモビリティ基準信号の例示的な開始
本開示の態様は、基地局が、(たとえば、接続モードにおいてUEによって受信されたときに)初期アクセス信号の測定された信号品質に基づいてモビリティ基準信号の送信を開始することを可能にする技法を提供する。いくつかの場合には、本開示の態様は、モビリティのためのCSI-RSの条件付き送信のための方法を提供する。UEは、SSの品質について報告してもよく、この報告に基づいて、信号の2次セットが、(サービングセルまたは近隣セルのいずれかによって)送信され得る。モビリティ基準信号の送信は、UE初期アクセス信号の受信によってトリガされ得る。特に、1つのgNBは、モビリティ基準信号の送信において別のgNBと協調してもよい。測定された信号品質は、測定されたチャネル品質インジケータ(CQI)、信号対雑音比(SNR)、信号対干渉雑音比(SINR)、基準信号受信電力(RSRP)、受信信号強度表示(RSSI)、基準信号受信品質(RSRQ)、ビーム品質情報(BQI)、チャネル状態情報(CSI)、または干渉測定値のうちの少なくとも1つを含み得る。
【００６１】
図8および図9は、本開示の態様による例示的な初期アクセスフレームワークを示す。図9に示すように、BS902(MWB)は、図8に示すSYNC信号801A〜801Eを送信する間に、(異なるビーム906を使用して)異なる方向に送信(掃引)してもよい。次に、UE904は、RACH信号802を送信することによってそのようなSYNC信号801A〜801Eに応答してもよい。図8に示すように、SYNC信号801A〜801EおよびRACH信号802は、それぞれ、14シンボル(0〜13)を取ってもよい。いくつかの場合には、UE904は、UE904が最良の初期ビームを受信したのと同じ信号内のRACH信号802を送信してもよい。SYNC信号801A〜801Eを送信するために使用された同じビーム上で受信することによって、BS902は、(たとえば、BS906がRACH送信802を受信する受信ビームおよびシンボルに基づいて)どの送信ビーム906が最良であったかを決定することが可能であり得る。図9に示す例では、最良の初期アクセスビーム908が示されている。
【００６２】
いくつかの場合には、SYNC信号は、周期的に送信されてもよい。SYNC信号は、複数のアンテナポートを介して複数の方向に同時に送信されるが、UEは、送信が同じトーンを占有するときは、方向を区別することはできない。言い換えれば、上述のように、UEは、シンボルのうちの1つにおける信号品質を知るにすぎないことがあり、対応するシンボルにおいてRACHを送信し得る。そのシンボルにおいてRACHを受信すると、基地局は、次いで、最良の方向を知ることができ、この方向を将来の送信および/または改善に使用する。
【００６３】
本開示の態様は、(たとえば、UEにおける初期アクセス信号受信に基づいて)基地局が、適切なときにモビリティ基準信号の送信を開始するのを助け得る。
【００６４】
図10は、本開示の態様による、基地局によるワイヤレス通信のための例示的な動作1000を示す。動作1000は、1002において、異なる方向に初期アクセス信号の第1のセットを送信することで開始する。
【００６５】
たとえば、図11に示すように、第1の基地局(MWB1)は、初期アクセス信号1102を送信してもよい。初期アクセス信号1102は、空間多重化を介して送信され得る。上述のように、初期アクセス信号1102は、トーンの同じセットを占有してもよく、それにより、UEは、個々のビーム(それは初期アクセスのための広いビームであり得る)を区別できない。図11の例では、UEは、MWB1(第2の基地局MWB2ではない)からの初期アクセス信号だけをUEが検出し得るように設置されている。
【００６６】
1004において、基地局は、初期アクセス信号の第1のセットに応答して、1つまたは複数の信号の第2のセットをユーザ機器(UE)から受信する。1つまたは複数の場合には、基地局は、ランダムアクセスチャネル(RACH)、スケジューリング要求(SR)チャネル、ビーム復元要求チャネル、物理アップリンク制御チャネル(PUCCH)、または物理アップリンク共有チャネル(PUSCH)のうちの1つまたは複数を介して1つまたは複数の信号の第2のセットを受信する。
【００６７】
たとえば、UEは、MWB1から受信された初期アクセス信号1102の受信の表示を送信してもよい。図12に示すように、UEがセルエッジに移動すると、UEは、MWB2からの初期アクセス信号1204も検出する場合がある。UEは、MWB2の個々のビームをまだ検出できないが、UEは、それでも、UEがMWB2の初期アクセス信号1204を検出できることをMWB1に通知してもよい。
【００６８】
1006において、基地局は、信号の第2のセットの受信に基づいて、基準信号の第3のセットの対応する方向の表示を伴う基準信号の第3のセットの送信を開始するか、または基準信号の第3のセットの構成を伝達する。1つまたは複数の場合には、第1の基地局は、基準信号の第3のセットの対応する方向を、初期アクセス信号の第1のセットとのそれらの疑似コロケーション(QCL)関係を伝達することによって示してもよい。さらに、第1の基地局は、対応する方向の間のQCL関係を、初期アクセス信号の第1のセットと基準信号の第3のセットとを送信するために使用されるアンテナポート間のQCL関係を伝達することによって示してもよい。いくつかの場合には、構成は、帯域幅、周期性パターン、時間同期基準、周波数リソースローケーション、基準信号(RS)タイミング、構成可能ヌメロロジー、またはRRM測定に対するCSI-RSとSSブロックとの間の関連を含む1つまたは複数のパラメータを含んでもよい。
【００６９】
1つまたは複数の場合には、図13に示すように、MWB1は、基準信号1306の第3のセットを(たとえば、初期アクセス信号より狭いビーム1310を、UEがフィードバックとして最良のビーム1311を提供し得るように方向の表示とともに)送ってもよい。いくつかの場合には、MWB1は、MWB2が第3の基準信号1308を個別に送信することを要求してもよい。いくつかの場合には、基準信号の第3のセットの送信を開始することは、第2の基地局による信号の第2のセットの受信に基づいて、基準信号の第3のセットおよびそれらの対応する方向の送信を開始することを、第1の基地局(MWB1)が第2の基地局(MWB2)に要求することを含んでもよい。いくつかの場合には、MWB1は、MWB2が基準信号の第3のセットを一緒に送信することを要求してもよい。たとえば、いくつかの場合には、第1の基地局は、第2の基地局とともに協調して、信号の第2のセットの受信に基づいて基準信号の第3のセットの協調送信を開始する。1つまたは複数の場合には、MWB1およびMWB2のジョイント送信は、そのような送信のために使用されるタイミングおよび/または周波数のリソース上で協調することを含んでもよい。たとえば、MWB1およびMWB2は、送信を協調するときに使用される第3の基準信号の構成を送信してもよい。第3の基準信号は、たとえば、CSI-RSまたはモビリティRSであり得る。
【００７０】
いずれの場合にも、UEは個々のビームを識別して、最強のセルの最強のビームを発見し得る。この情報は、MWB1にフィードバックされてもよく、次いで、MWB1は、MWB2へのハンドオーバを開始してもよく、および/またはこの情報をMWB2に供給してもよく、それによりMWB2は、好適なビーム1310を使用してUEと通信することを始めてもよい。たとえば、供給される情報は、MWB1からMWB2に伝達される構成情報であり得る。詳細には、1つまたは複数の場合には、情報は、基準信号の第3のセットの構成に関する構成情報を含む。1つまたは複数の事例によれば、MWB1はサービング基地局とも呼ばれ、MWB2は近隣基地局とも呼ばれ、それは場合によってはターゲット基地局と呼ばれることもある。
【００７１】
図14は、UEによって実行され得る例示的な動作1400を示す。たとえば、動作1400は、図10に示すように、動作1000に対して相補的であるUE側の動作と見なすことができる。
【００７２】
動作1400は、1402において、第1の基地局から送信された初期アクセス信号の第1のセットを受信することで開始する。1404において、UEは、初期アクセス信号の第1のセットに応答して、1つまたは複数の信号の第2のセットを送信する。1406において、UEは、1つまたは複数の信号の第2のセットに基づいて、第1の基地局または第2の基地局のうちの少なくとも1つによって送信された、基準信号の第3のセットまたは基準信号の第3のセットの構成のうちの少なくとも1つを受信する。1408において、UEは、基準信号の第3のセットの受信された品質の表示を第1の基地局に送信する。
【００７３】
1つまたは複数の場合には、UEは、1つまたは複数のダウンリンクチャネルを使用して基準信号の第3のセットの構成を受信する。ダウンリンクチャネルは、PDSCH、PDCCH、RRCシグナリング、MAC制御要素(MAC CE)、またはハンドオーバメッセージのうちの1つまたは複数を含んでもよい。構成は、帯域幅、周期性パターン、時間同期基準、周波数リソースローケーション、基準信号(RS)タイミング、構成可能ヌメロロジー、またはRRM測定に対するCSI-RSとSSブロックとの間の関連を含む1つまたは複数のパラメータを含んでもよい。
【００７４】
いくつかの場合には、UEは、サービングセルに接続されてもよい。UEは、SSブロック測定窓内の初期アクセス(1次同期信号(PSS)、2次同期信号(SSS)、PBCH、およびPBCHの復調基準信号(DMRS))信号を探索してもよい。次いで、UEは、近隣セルの初期アクセス信号を検出してもよい。近隣セルは、ターゲットセルと呼ばれることもある。UEは、検出されたセルIDを伝達し、構成されている場合、近隣セルの初期アクセス信号に関する追加の情報を報告することによってサービングセルに通知する。サービングセルは、チャネル状態情報基準信号(CSI-RS)またはモビリティ基準信号(MRS)の構成をすでに有している場合があり、それらは、単に、検出された近隣セルのCSI-RS/MRSと呼ばれることもある。そうでない場合、サービングセルは、検出された近隣セルに、(たとえば、要求を介して)構成情報をサービングセルに提供させる場合がある。それゆえ、再び図10を参照すると、第3の基準信号の送信を開始することの代替として(またはそれに加えて)、近隣基地局は、基準信号の第3のセットの構成に関する情報を(たとえば、サービングセルに)伝達してもよい。次いで、サービングセルは、基準信号の第3のセットの構成をUEに伝達してもよい。構成をサービングセルから受信すると、UEは、検出された近隣セルから基準信号の第3のセットを探し、次いで、近隣セルから基準信号の第3のセットを受信してもよい。それゆえ、UEは、基準信号の第3のセットの品質をサービングセルに送ってもよい。
【００７５】
図15は、本開示の態様による、サービング基地局によるワイヤレス通信のための例示的な動作1500を示す。
【００７６】
動作1500は、1502において、1つまたは複数の信号の第2のセットをユーザ機器(UE)から受信することを含む。1504において、動作1500は、基準信号の第3のセットの対応する方向の表示を伴う近隣基地局の基準信号の第3のセットの構成を識別することを含む。さらに、1506において、動作は、1つまたは複数の信号の第2のセットをUEから受信することに基づいて、基準信号の第3のセットの構成をUEに送信することを含む。いくつかの場合には、構成は、帯域幅、周期性パターン、時間同期基準、周波数リソースローケーション、基準信号(RS)タイミング、構成可能ヌメロロジー、またはRRM測定に対するCSI-RSとSSブロックとの間の関連を含む1つまたは複数のパラメータを含む。
【００７７】
1つまたは複数の場合には、1つまたは複数のアンテナポートは、疑似コロケーション(QCL)を含む場合がある。QCLは、一方のアンテナポート上のシンボルが伝達されるチャネルの特性が、他方のアンテナポート上のシンボルが伝達されるチャネルから推測され得る場合、2つのアンテナポートは疑似コロケートされていると言われるように、定義されてもよい。
【００７８】
QCLは、1つまたは複数の異なる機能をサポートし得る。たとえば、QCLは、少なくとも空間パラメータを含むビーム管理機能、少なくともドップラー/遅延パラメータを含む周波数/タイミングオフセット推定機能、および/または少なくとも平均利得を含むRRM管理機能をサポートし得る。
【００７９】
DM-RSアンテナポートに対して、NRは、すべてのポートが疑似コロケートされているDM-RSアンテナポート、またはすべてのポートが疑似コロケートされているとは限らないDM-RSアンテナポートのいずれかをサポートする場合がある。DM-RSポートのグループ分けがサポートされる場合があり、1つのグループ内のDM-RSポートがQCLされる場合があり、異なるグループ内のDM-RSポートがQCLされない場合がある。NRは、ダウンリンク制御チャネル受信に対するUE側のビームフォーミングを支援するためのQCL仮定を導出するためにダウンリンク表示によってサポートしてもよく、ダウンリンク表示によらないでサポートしてもよい。
【００８０】
CSI-RSアンテナポートに対して、2つのCSI-RSリソースのアンテナポート間のQCLの表示がサポートされ得る。デフォルトでは、2つのCSI-RSリソースのアンテナポート間で、QCLは仮定されない。部分的QCLパラメータ(たとえば、UE側における空間的QCLパラメータのみ)が考慮され得る。ダウンリンクに対して、NRは、CSI-RS受信を、ビーム関連表示によってサポートしてもよく、ビーム関連表示によらないでサポートしてもよい。ビーム関連表示が提供されるとき、CSI-RSベースの測定のために使用されるUE側のビームフォーミング/受信手順に関係する情報が、QCLを介してUEに示され得る。QCL情報は、CSI-RSポートのUE側の受信に対する空間パラメータを含んでもよい。
【００８１】
2つのRSリソースのアンテナポート間のQCLパラメータのサブセットに関連付けられたQCL仮定の表示がサポートされ得る。デフォルトでは(すなわち、UEは示されていない)、異なるCC上で送信されるアンテナポートは、空間領域QCL仮定を除いて、疑似コロケートされていることを仮定されない。
【００８２】
1つまたは複数の場合には、2つのGnb TXアンテナポートが空間的に疑似コロケートされている(QCLされている)場合、UEは、同じRXビームを用いてこれらの2つのGnb TXアンテナポートから受信し得る。Gnbが、初期アクセス信号とQCLされているCSI-RS信号を送信する場合、UEは、新しいCSI-RS信号を検出するために、UEが前に初期アクセス信号を検出するために使用したのと同じRXビームを使用し得る。
【００８３】
本明細書で説明する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【００８４】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【００８５】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【００８６】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で説明したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【００８７】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示される動作がある場合、それらの動作は、同様の番号を付された対応する相対物のミーンズプラスファンクション構成要素を有し得る。
【００８８】
たとえば、送信するための手段および/または受信するための手段は、基地局110の送信プロセッサ420、TX MIMOプロセッサ430、受信プロセッサ438、もしくはアンテナ434、および/またはユーザ機器120の送信プロセッサ464、TX MIMOプロセッサ466、受信プロセッサ458、もしくはアンテナ452のうちの1つまたは複数を含み得る。加えて、生成するための手段、多重化するための手段、および/または適用するための手段は、基地局110のコントローラ/プロセッサ440および/またはユーザ機器120のコントローラ/プロセッサ480などの1つまたは複数のプロセッサを含み得る。
【００８９】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【００９０】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【００９１】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【００９２】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【００９３】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【００９４】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。たとえば、本明細書で説明し、図13、図17、および図18に示す動作を実行するための命令。
【００９５】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【００９６】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【００９７】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器、ユーザ端末
120r  UE
120x  UE
120y  UE
130  ネットワークコントローラ
200  分散型無線アクセスネットワーク(RAN)、ローカルアーキテクチャ、アーキテクチャ
202  アクセスノードコントローラ(ANC)
204  次世代コアネットワーク(NG-CN)
206  5Gアクセスノード
208  TRP、DU
210  次世代AN(NG-AN)
222  Tx/Rx
300  分散型RAN
302  集中型コアネットワークユニット(C-CU)
304  集中型RANユニット(C-RU)
306  DU
412  データソース
420  プロセッサ、送信プロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  図
604  DLデータ部分
606  共通UL部分
700  図
702  制御部分
704  ULデータ部分
706  共通UL部分
801A  SYNC信号
801E  SYNC信号
802  ランダムアクセスチャネル(RACH)信号
902  基地局(BS)
904  ユーザ機器(UE)
906  BS
908  初期アクセスビーム
1000  動作
1102  初期アクセス信号
1204  初期アクセス信号
1306  基準信号の第3のセット
1308  第3の基準信号
1310  初期アクセス信号より狭いビーム
1311  最良のビーム
1400  動作
1500  動作
【図１】
2020507997.tif 000003
【図２】
2020507997.tif 000004
【図３】
2020507997.tif 000005
【図４】
2020507997.tif 000006
【図５】
2020507997.tif 000007
【図６】
2020507997.tif 000008
【図７】
2020507997.tif 000009
【図８】
2020507997.tif 000010
【図９】
2020507997.tif 000011
【図１０】
2020507997.tif 000012
【図１１】
2020507997.tif 000013
【図１２】
2020507997.tif 000014
【図１３】
2020507997.tif 000015
【図１４】
2020507997.tif 000016
【図１５】
2020507997.tif 000017
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
第1の基地局によるワイヤレス通信の方法であって、
異なる方向に初期アクセス信号の第1のセットを送信するステップと、
初期アクセス信号の前記第1のセットに応答して、1つまたは複数の信号の第2のセットをユーザ機器(UE)から受信するステップと、
1つまたは複数の信号の前記第2のセットの受信に基づいて、基準信号の第3のセットの対応する方向の表示を伴う基準信号の前記第3のセットの送信を開始するまたは前記第3のセットの構成を伝達するステップとを含む、方法。
【請求項２】
前記構成が、帯域幅、周期性パターン、時間同期基準、周波数リソースローケーション、基準信号(RS)タイミング、構成可能ヌメロロジー、または無線リソース管理(RRM)測定に対するチャネル状態情報基準信号(CSI-RS)と同期信号(SS)ブロックとの間の関連を含む1つまたは複数のパラメータを含む、請求項1に記載の方法。
【請求項３】
基準信号の前記第3のセットが、チャネル状態情報基準信号(CSI-RS)またはモビリティ基準信号(MRS)のうちの1つを含む、請求項1に記載の方法。
【請求項４】
初期アクセス信号の前記第1のセットが、1次同期信号(PSS)、2次同期信号(SSS)、物理ブロードキャストチャネル(PBCH)信号、またはPBCH信号の復調基準信号(DMRS)のうちの少なくとも1つを含む、請求項1に記載の方法。
【請求項５】
前記第1の基地局が、基準信号の前記第3のセットと初期アクセス信号の前記第1のセットとの疑似コロケーション(QCL)関係を伝達することによって、基準信号の前記第3のセットの前記対応する方向を示す、請求項1に記載の方法。
【請求項６】
基準信号の前記第3のセットの送信を開始するステップが、第2の基地局による1つまたは複数の信号の前記第2のセットの受信に基づいて、基準信号の前記第3のセットの前記対応する方向への基準信号の前記第3のセットの前記送信を開始することを前記第2の基地局に要求するステップを含む、請求項1に記載の方法。
【請求項７】
前記第1の基地局が、第2の基地局とともに協調して、1つまたは複数の信号の前記第2のセットの前記受信に基づいて基準信号の前記第3のセットの協調送信を開始する、請求項1に記載の方法。
【請求項８】
前記第1の基地局が、ランダムアクセスチャネル(RACH)、スケジューリング要求(SR)チャネル、ビーム復元要求チャネル、物理アップリンク制御チャネル(PUCCH)、または物理アップリンク共有チャネル(PUSCH)のうちの1つまたは複数の組合せを介して1つまたは複数の信号の前記第2のセットを受信する、請求項1に記載の方法。
【請求項９】
前記UEから基準信号の前記第3のセットの受信された品質の表示を受信するステップと、
前記UEが近隣セルにハンドオーバされるべきかどうかを決定するために前記受信された品質を使用するステップとをさらに含む、請求項1に記載の方法。
【請求項１０】
ユーザ機器(UE)によるワイヤレス通信の方法であって、
第1の基地局から送信された初期アクセス信号の第1のセットを受信するステップと、
初期アクセス信号の前記第1のセットに応答して、1つまたは複数の信号の第2のセットを送信するステップと、
1つまたは複数の信号の前記第2のセットに基づいて、前記第1の基地局または第2の基地局のうちの少なくとも1つによって送信された、基準信号の第3のセットの対応する方向の表示を伴う、基準信号の前記第3のセットまたは基準信号の前記第3のセットの構成のうちの少なくとも1つを受信するステップとを含む、方法。
【請求項１１】
基準信号の前記第3のセットの受信された品質の表示を前記第1の基地局に送信するステップをさらに含む、請求項10に記載の方法。
【請求項１２】
前記UEが、1つまたは複数のダウンリンクチャネルを使用して基準信号の前記第3のセットの前記構成を受信し、
前記1つまたは複数のダウンリンクチャネルが、物理ダウンリンク(DL)共有チャネル(PDSCH)、物理DL制御チャネル(PDCCH)、無線リソース制御(RRC)シグナリング、媒体アクセス制御(MAC)制御要素(MAC CE)、またはハンドオーバメッセージのうちの1つまたは複数を含む、請求項10に記載の方法。
【請求項１３】
前記構成が、帯域幅、周期性パターン、時間同期基準、周波数リソースローケーション、基準信号(RS)タイミング、構成可能ヌメロロジー、または無線リソース管理(RRM)測定に対するチャネル状態情報基準信号(CSI-RS)と同期信号(SS)ブロックとの間の関連を含む1つまたは複数のパラメータを含む、請求項10に記載の方法。
【請求項１４】
1つまたは複数の信号の前記第2のセットに基づいて、前記第2の基地局によって送信された、基準信号の前記第3のセットの構成を、前記第1の基地局から受信するステップをさらに含む、請求項10に記載の方法。
【請求項１５】
前記UEが前記第1の基地局から受信した前記構成に従って、前記UEが基準信号の前記第3のセットを前記第2の基地局から受信する、請求項14に記載の方法。
【請求項１６】
前記UEが、基準信号の前記第3のセットの対応する方向の表示を前記第2の基地局から受信する、請求項10に記載の方法。
【請求項１７】
前記第1の基地局が、基準信号の前記第3のセットと初期アクセス信号の前記第1のセットとの疑似コロケーション(QCL)関係を伝達することによって、基準信号の前記第3のセットの前記対応する方向を示す、請求項10に記載の方法。
【請求項１８】
前記UEが、物理アップリンク制御チャネル(PUCCH)、物理アップリンク共有チャネル(PUSCH)、スケジューリング要求、およびランダムアクセスチャネル(RACH)のうちの1つまたは複数の組合せにおいて、基準信号の前記第3のセットの受信された品質の前記表示を送信する、請求項11に記載の方法。
【請求項１９】
基準信号の前記第3のセットが、チャネル状態情報基準信号(CSI-RS)またはモビリティ基準信号(MRS)のうちの1つを含む、請求項10に記載の方法。
【請求項２０】
初期アクセス信号の前記第1のセットが、1次同期信号(PSS)、2次同期信号(SSS)、物理ブロードキャストチャネル(PBCH)信号、またはPBCH信号の復調基準信号(DMRS)のうちの少なくとも1つを含む、請求項10に記載の方法。
【請求項２１】
基準信号の前記第3のセットが、前記第1の基地局において1つまたは複数の信号の前記第2のセットの受信に基づいて、前記第1の基地局から送信される、請求項11に記載の方法。
【請求項２２】
前記第1の基地局が、前記第2の基地局とともに協調して、1つまたは複数の信号の前記第2のセットの受信に基づいて基準信号の前記第3のセットの協調送信を開始する、請求項10に記載の方法。
【請求項２３】
測定された信号品質が、測定されたチャネル品質インジケータ(CQI)、信号対雑音比(SNR)、信号対干渉雑音比(SINR)、基準信号受信電力(RSRP)、受信信号強度表示(RSSI)、基準信号受信品質(RSRQ)、ビーム品質情報(BQI)、ビームインデックス報告、チャネル状態情報(CSI)、または干渉測定値のうちの少なくとも1つを含む、請求項11に記載の方法。
【請求項２４】
前記UEが、2次同期信号(SSS)、または物理ブロードキャストチャネル(PBCH)信号に対する復調基準信号(DMRS)のうちの少なくとも1つの品質の表示を測定して提供する、請求項11に記載の方法。
【請求項２５】
前記UEが、ランダムアクセスチャネル(RACH)、スケジューリング要求(SR)チャネル、ビーム復元要求チャネル、物理アップリンク制御チャネル(PUCCH)、または物理アップリンク共有チャネル(PUSCH)のうちの1つまたは複数の組合せを介して1つまたは複数の信号の前記第2のセットを送信する、請求項10に記載の方法。
【請求項２６】
基地局によるワイヤレス通信の方法であって、
1つまたは複数の信号の第2のセットをユーザ機器(UE)から受信するステップと、
1つまたは複数の信号の前記第2のセットの受信に基づいて、基準信号の第3のセットの対応する方向の表示を伴う近隣基地局の基準信号の前記第3のセットの構成を識別するステップと、
1つまたは複数の信号の前記第2のセットを前記UEから受信することに基づいて、基準信号の前記第3のセットの前記構成を前記UEに送信するステップとを含む、方法。
【請求項２７】
前記構成が、帯域幅、周期性パターン、時間同期基準、周波数リソースローケーション、基準信号(RS)タイミング、構成可能ヌメロロジー、または無線リソース管理(RRM)測定に対するチャネル状態情報基準信号(CSI-RS)とSSブロックとの間の関連を含む1つまたは複数のパラメータを含む、請求項26に記載の方法。
【請求項２８】
前記基地局が、1つまたは複数の信号の前記第2のセットを前記近隣基地局に伝達し、1つまたは複数の信号の前記第2のセットを伝達したことに応答して基準信号の前記第3のセットの前記構成を前記近隣基地局から受信する、請求項26に記載の方法。
【請求項２９】
前記UEが、基準信号の前記第3のセットの前記対応する方向の表示を前記基地局から受信する、請求項26に記載の方法。
【請求項３０】
前記基地局が、基準信号の前記第3のセットと初期アクセス信号の第1のセットとの疑似コロケーション(QCL)関係を伝達することによって、基準信号の前記第3のセットの前記対応する方向を示す、請求項26に記載の方法。
【国際調査報告】
2020507997.tif 000018
2020507997.tif 000019
2020507997.tif 000020
2020507997.tif 000021